(57)【要約】【課題】液体の幅方向の漏れを抑制可能な使い捨ておむつを提供する。【解決手段】使い捨ておむつは腹側部２と、背側部３と、吸収体１４を含む吸収性本体１０と、を備える。吸収体は、高吸水性ポリマーを含み、股間領域ＭＡと、背側部と厚さ方向に重なる背側領域ＢＡと、腹側部と厚さ方向に重なる腹側領域ＦＡと、を備える。背側領域及び腹側領域の少なくとも一方は、股間領域よりも高吸水性ポリマーの坪量が低い低坪量域を含む。吸収性本体は、一対のサイドシート１７、１７を含む。一対のサイドシートの各々は、吸収性本体の表面に固定された固定領域１５と、吸収性本体の表面に幅方向の外側の端縁を固定され、幅方向の内側の端縁を非固定とする防漏壁１６と、を有する。固定領域における長手方向の中央側の端縁１５Ｅは、低坪量域と厚さ方向に重なる。【選択図】図１
2020108742.tif 000002
【特許請求の範囲】
【請求項１】
互いに直交する長手方向、幅方向及び厚さ方向を有し、腹側部と、背側部と、前記腹側部と前記背側部との間に位置し、吸収体を含む吸収性本体と、を備える、使い捨ておむつであって、
前記吸収体は、
高吸水性ポリマーを含み、
股間領域と、
前記股間領域の前記長手方向の後側に隣接し、前記背側部と前記厚さ方向に重なる背側領域と、
前記股間領域の前記長手方向の前側に隣接し、前記腹側部と前記厚さ方向に重なる腹側領域と、
を備え、
前記背側領域及び前記腹側領域の少なくとも一方は、前記股間領域よりも前記高吸水性ポリマーの坪量が低い低坪量域を含み、
前記吸収性本体は、肌側の表面において、前記幅方向の両側に位置し、前記長手方向に延びる一対のサイドシートを含み、
前記一対のサイドシートの各々は、
前記サイドシートにおける前記長手方向の前側及び後側の端部に位置し、前記吸収性本体の表面に固定された固定領域と、
前記長手方向に沿って延びる弾性部材を含み、前記サイドシートにおける前記長手方向の前側及び後側の前記固定領域の間に位置し、前記吸収性本体の表面に前記幅方向の外側の端縁を固定され、前記幅方向の内側の端縁を非固定とする防漏壁と、
を有し、
前記固定領域における前記長手方向の中央側の端縁は、前記低坪量域と前記厚さ方向に重なる、
使い捨ておむつ。
【請求項２】
前記弾性部材における弾性力を発揮し得る有効部分における前記固定領域の側の端縁は、前記低坪量域と前記厚さ方向に重なる、
請求項１に記載の使い捨ておむつ。
【請求項３】
前記固定領域における前記長手方向の中央側の端縁の位置は、前記低坪量域における前記股間領域の側の端縁よりも、前記股間領域側と反対側の端縁に近い、
請求項１又は２に記載の使い捨ておむつ。
【請求項４】
前記背側領域及び前記腹側領域の少なくとも一方であって、前記低坪量域を含む領域は、前記高吸水性ポリマーを含まない非配置域、を更に含み、
前記非配置域は、前記長手方向において、前記低坪量域における前記股間領域の側と反対側に隣接し、
前記長手方向において、前記固定領域の少なくとも一部は、前記非配置域と前記厚さ方向に重なる、
請求項１乃至３のいずれか一項に記載の使い捨ておむつ。
【請求項５】
前記長手方向において、前記固定領域における前記防漏壁の側と反対側の端縁は、前記非配置域における前記低坪量域の側と反対側の端縁よりも外側に位置する、
請求項４に記載の使い捨ておむつ。
【請求項６】
前記防漏壁は、前記幅方向において、
前記吸収性本体の表面に外側の端縁を固定された第１壁部と、
前記第１壁部の内側の端縁に内側の端縁を連結され、外側の端縁を非固定とする第２壁部と、
を含む、
請求項１乃至５のいずれか一項に記載の使い捨ておむつ。
【請求項７】
前記背側領域は、前記低坪量域としての背側低坪量域を有し、
前記腹側領域は、前記長手方向において前記股間領域に隣接し、前記高吸水性ポリマーの坪量が前記股間領域と同等の腹側高坪量域を有し、
前記長手方向の後側の前記固定領域における前記長手方向の中央側の端縁は、前記背側低坪量域と前記厚さ方向に重なり、
前記長手方向の前側の前記固定領域における前記長手方向の中央側の端縁は、前記腹側高坪量域と前記厚さ方向に重なる、
請求項１乃至６のいずれか一項に記載の使い捨ておむつ。
【発明の詳細な説明】
【技術分野】
【０００１】
本発明は、使い捨ておむつに関する。
【背景技術】
【０００２】
吸収性材料として高吸水性ポリマー（Ｓｕｐｅｒ  Ａｂｓｏｒｂｅｎｔ  Ｐｏｌｙｍｅｒ；ＳＡＰ）を相対的に多く含む吸収体を用いた吸収性物品が知られている。高吸水性ポリマーを相対的に多く含む吸収体（いわゆるＳＡＰシート）は、厚さが薄いので、装着性やフィット性などを向上することができ、好ましい吸収体といえる。そのような吸収体として、例えば、特許文献１に、吸収性材料を含む吸収性コアが開示されている。その吸収性コアは、吸収性物品に用いられ、吸収性材料がセルロース繊維を実質的に含まず、別個の吸収性材料領域のパターンを形成する。そのパターンは、ドット形成領域と、幅方向に延びる領域及び長手方向に延びる領域の少なくとも一つと、を含んでいる。
【先行技術文献】
【特許文献】
【０００３】
【特許文献１】特表２０１７−５１６５４２号公報
【発明の概要】
【発明が解決しようとする課題】
【０００４】
高吸水性ポリマーを相対的に多く含む吸収体を使い捨ておむつに適用するとき、高吸水性ポリマーを平面状に概ね一様に配置した吸収体を用いる場合が考えられる。このような使い捨ておむつでは、装着後に高吸水性ポリマーが液体（例示：尿）を吸収して膨潤が進んだとき、吸収体の剛性が高まって、吸収体は長手方向に比較的真っ直ぐな形状になる。そうなると、吸収体の幅方向の両側に、吸収体に沿って長手方向に延びる一対の防漏壁は、長手方向に両側から伸張されるように引っ張られてしまい、装着者の肌面へ向かって起立することが困難になる。その結果、防漏壁の高さが低くなってしまい、一対の防漏壁を越えて幅方向に液体が漏れるおそれがある。
【０００５】
ここで、特許文献１の吸収体（吸収性コア）は、装着快適性の改善などのため、平面視で、複数の領域に分割されている。しかし、使い捨ておむつの装着後、吸収体が液体を吸収して外側に飛び出したような形状になり得ることについては考慮されていない。
【０００６】
本発明の目的は、高吸水性ポリマーを含む使い捨ておむつにおいて、液体の幅方向の漏れを抑制可能な使い捨ておむつを提供することにある。
【課題を解決するための手段】
【０００７】
本発明の使い捨ておむつは次のとおりである。（１）互いに直交する長手方向、幅方向及び厚さ方向を有し、腹側部と、背側部と、前記腹側部と前記背側部との間に位置し、吸収体を含む吸収性本体と、を備える、使い捨ておむつであって、前記吸収体は、高吸水性ポリマーを含み、股間領域と、前記股間領域の前記長手方向の後ろ側に隣接し、前記背側部と前記厚さ方向に重なる背側領域と、前記股間領域の前記長手方向の前側に隣接し、前記腹側部と前記厚さ方向に重なる腹側領域と、を備え、前記背側領域及び前記腹側領域の少なくとも一方は、前記股間領域よりも前記高吸水性ポリマーの坪量が低い低坪量域を含み、前記吸収性本体は、肌側の表面において、前記幅方向の両側に位置し、前記長手方向に延びる一対のサイドシートを含み、前記一対のサイドシートの各々は、前記サイドシートにおける前記長手方向の前側及び後側の端部に位置し、前記吸収性本体の表面に固定された固定領域と、前記長手方向に沿って延びる弾性部材を含み、前記サイドシートにおける前記長手方向の前側及び後側の前記固定領域の間に位置し、前記吸収性本体の表面に前記幅方向の外側の端縁を固定され、前記幅方向の内側の端縁を非固定とする防漏壁と、を有し、前記固定領域における前記長手方向の中央側の端縁は、前記低坪量域と前記厚さ方向に重なる、使い捨ておむつ。
【０００８】
本使い捨ておむつでは、吸収体において、長手方向の腹側領域及び／又は背側領域に、高吸水性ポリマーの坪量が低い低坪量域を備えるので、その低坪量域と、高吸水性ポリマーの坪量が高い股間領域と、の間の位置に、秤量が変わる起点を形成できる。すなわち、吸収体において、長手方向に、剛性の低い低坪量域と、剛性の高い股間領域と、の間の位置に剛性の変わる起点を形成できる。そのような起点は、防漏壁の長手方向の収縮力が長手方向の中央側に向かう力として、吸収体の端部に加わったとき、吸収体の端部が折れる折れ起点となる。そして、本使い捨ておむつでは、その折れ起点、すなわち、低坪量域における股間領域側の端縁が、平面視で、固定領域の長手方向の中央側の端縁よりも中央側に位置している。
ここで、装着後に高吸水性ポリマーが液体を吸収して膨潤が進んだときには、吸収体の剛性が高まって、長手方向に比較的真っ直ぐな形状になり、したがって、防漏壁が長手方向の両側から伸張されるように引っ張られることで、防漏壁の長手方向の収縮力が増加する。
このとき、本使い捨ておむつでは、その防漏壁の長手方向の収縮力により、固定領域の長手方向の中央側の端縁が、中央側に強く引っ張られると、上記のように折れ起点を設定しているので、吸収体の長手方向の端部が装着者の肌面へ向かって起立するように、吸収体を折れ起点で折ることができる。それにより、起立した吸収体の長手方向の端部によって防漏壁が長手方向の両側へ向かって引っ張られる程度を低下させることができ、防漏壁を装着者の肌面へ向かって起立させることができる。すなわち、防漏壁の高さが低くなることを抑制でき、防漏壁を越えて幅方向に液体が漏れることを抑制できる。
【０００９】
本発明の使い捨ておむつは、（２）前記弾性部材における弾性力を発揮し得る有効部分における前記固定領域の側の端縁は、前記低坪量域と前記厚さ方向に重なる、上記（１）に記載の使い捨ておむつ、でもよい。
本使い捨ておむつでは、弾性部材の有効部分における固定領域の側の端縁が低坪量域と厚さ方向に重なる。すなわち、平面視で、固定領域と有効部分との距離を接近させることができる。それにより、有効部分で固定領域を引っ張り易くできるので、吸収体の長手方向の端部が装着者の肌面へ向かって起立するように、吸収体を折れ起点でより容易に折ることができる。それにより、起立した吸収体の長手方向の端部によって防漏壁が長手方向の両側へ向かって引っ張られる程度をより低下させることができ、防漏壁を装着者の肌面へ向かってより起立させることができる。すなわち、防漏壁の高さが低くなることをより抑制でき、防漏壁を越えて幅方向に液体が漏れることをより抑制できる。
【００１０】
本発明の使い捨ておむつは、（３）前記固定領域における前記長手方向の中央側の端縁の位置は、前記低坪量域における前記股間領域の側の端縁よりも、前記股間領域側と反対側の端縁に近い、上記（１）又は（２）に記載の使い捨ておむつ、でもよい。
本使い捨ておむつでは、固定領域における長手方向の中央側の端縁の位置は、低坪量域における股間領域側の端縁よりも股間領域側と反対側（背側領域又は腹側領域側）の端縁に近い。ただし、固定領域における長手方向の中央側の端縁の位置は、防漏壁の収縮力が作用する位置である。そして、低坪量域における股間領域側の端縁は折れ起点になる位置である。したがって、本使い捨ておむつでは、収縮力が作用する位置を、折れ起点の位置からより遠くに離れるように構成している。すなわち、本使い捨ておむつでは、収縮力が作用する固定領域と折れ起点との距離を、より大きくするように構成している。
ここで、回転軸に腕部材で固定された物体に、腕部材に対して垂直な方向の力Ｆを加えて、物体を回転軸の周りに回転させる場合、力Ｆが等しいときには、腕部材の長さｒが長いほうが、物体を回転させるためのトルクＮが大きくなる。
本使い捨ておむつでは、折れ起点が回転軸に相当し、固定領域と折れ起点との間の部材が腕部材相当し、よって固定領域と折れ起点との距離が腕部材の長さｒに相当し、固定部材を含む吸収体の端部が物体に相当し、防漏壁の収縮力が力Ｆに相当する。したがって、本使い捨ておむつでは、折れ起点を軸として、防漏壁の収縮力により吸収体の端部を回転させる、すなわち折るとき、防漏壁の収縮力を同じとして、固定領域と折れ起点との距離をより大きくすることで、吸収体の端部を折るための力をより大きくすることができる。それにより、防漏壁を装着者の肌面へ向かってより起立させることができる。すなわち、防漏壁の高さが低くなることをより抑制でき、防漏壁を越えて幅方向に液体が漏れることをより抑制できる。
【００１１】
本発明の使い捨ておむつは、（４）前記背側領域及び前記腹側領域の少なくとも一方であって、前記低坪量域を含む領域は、前記高吸水性ポリマーを含まない非配置域、を更に含み、前記非配置域は、前記長手方向において、前記低坪量域における前記股間領域の側と反対側に隣接し、前記長手方向において、前記固定領域の少なくとも一部は、前記非配置域と前記厚さ方向に重なる、上記（１）乃至（３）のいずれか一項に記載の使い捨ておむつ、でもよい。
本使い捨ておむつでは、長手方向において、固定領域が非配置域へ延び、固定領域の少なくとも一部が厚さ方向に重なっている。それゆえ、防漏壁が収縮により固定領域を引っ張るとき、低坪量域よりも長手方向の外側の部分を固定領域と共に引っ張ることができる。それゆえ、低坪量域（の折れ起点）以外の箇所で吸収体が折ることを抑制できる。それにより、低坪量域の折れ起点で吸収体をより折り易くすることができ、防漏壁を装着者の肌面へ向かってより起立させ易くすることができる。その結果、防漏壁の高さが低くなることをより抑制でき、防漏壁を越えて幅方向に液体が漏れることをより抑制できる。
【００１２】
本発明の使い捨ておむつは、（５）前記長手方向において、前記固定領域における前記防漏壁の側と反対側の端縁は、前記非配置域における前記低坪量域の側と反対側の端縁よりも外側に位置する、上記（４）に記載の使い捨ておむつ、であってもよい。
本使い捨ておむつでは、長手方向において、固定領域が非配置域を超えて、吸収体の外側へ延びている。それゆえ、防漏壁が収縮により固定領域を引っ張るとき、低坪量域よりも長手方向の外側の部分であって、吸収体の外側の部分を含む領域を、固定領域と共に引っ張ることができる。それゆえ、低坪量域（の折れ起点）以外の箇所で吸収体が折ることを抑制できる。それにより、低坪量域の折れ起点で吸収体をより折り易くすることができ、防漏壁を装着者の肌面へ向かってより起立させ易くすることができる。その結果、防漏壁の高さが低くなることをより抑制でき、防漏壁を越えて幅方向に液体が漏れることをより抑制できる。
【００１３】
本発明の使い捨ておむつは、（６）前記防漏壁は、前記幅方向において、前記吸収性本体の表面に外側の端縁を固定された第１壁部と、前記第１壁部の内側の端縁に内側の端縁を連結され、外側の端縁を非固定とする第２壁部と、を含む、上記（１）乃至（５）のいずれか一項に記載の使い捨ておむつ、であってもよい。
本使い捨ておむつでは、防漏壁が長手方向から見て横倒しのＶ字（内側に凸）型の形状を有している。そのため、防漏壁を装着者の肌面へ向かってより高く起立させ易くすることができる。その結果、防漏壁の高さが低くなることをより抑制でき、防漏壁を越えて幅方向に液体が漏れることをより抑制できる。
【００１４】
本発明の使い捨ておむつは、（７）前記背側領域は、前記低坪量域としての背側低坪量域を有し、前記腹側領域は、前記長手方向において前記股間領域に隣接し、前記高吸水性ポリマーの坪量が前記股間領域と同等の腹側高坪量域を有し、前記長手方向の後側の前記固定領域における前記長手方向の中央側の端縁は、前記背側低坪量域と前記厚さ方向に重なり、前記長手方向の前側の前記固定領域における前記長手方向の中央側の端縁は、前記腹側高坪量域と前記厚さ方向に重なる、上記（１）乃至（６）のいずれか一項に記載の使い捨ておむつ、でもよい。
本請求項７に記載の使い捨ておむつでは、吸収体の背側領域に、背側低坪量域を備えるので、その背側低坪量域と股間領域との間の位置に、秤量が変わる起点、すなわち、剛性の変わる起点を形成できる。そのような起点は、防漏壁の長手方向の収縮力である長手方向の中央側に向かう力が、吸収体の端部に加わったとき、吸収体の端部が折れる折れ起点となる。そして、本使い捨ておむつでは、その折れ起点、すなわち、背側低坪量域における股間領域側の端縁が、平面視で、背側の固定領域の中央側の端縁よりも中央側に位置している。その結果、本使い捨ておむつでは、その防漏壁の長手方向の収縮力により、背側の固定領域の中央側の端縁が、中央側に強く引っ張られたとき、吸収体の長手方向の端部が装着者の肌面へ向かって起立するように、吸収体を折れ起点で折ることができる。それにより、起立した吸収体の長手方向の端部によって防漏壁が長手方向の両側へ向かって引っ張られる程度を低下させることができ、防漏壁を装着者の肌面へ向かって起立させることができる。
また、本使い捨ておむつでは、吸収体の腹側領域に、低坪量域を有さず、腹側高坪量域を有しているので、腹側高坪量域と股間領域との間の位置に、秤量が変わる起点、すなわち、剛性の変わる起点を有さない。そのため、腹側の固定領域における長手方向の中央側の端縁近傍で、吸収体の端部が折れることが無く、腹側部のフィット性を高めて、腹側領域からの伝え漏れを抑制できる。
このようにして、防漏壁の高さが低くなることを抑制でき、防漏壁を越えて幅方向に液体が漏れることを抑制できると共に、腹側からの伝え漏れを抑制でき、フィット性も向上できる。
【発明の効果】
【００１５】
本発明によれば、高吸水性ポリマーを含む使い捨ておむつにおいて、液体の幅方向の漏れを抑制可能な使い捨ておむつを提供することができる。
【図面の簡単な説明】
【００１６】
【図１】実施形態に係る使い捨ておむつの構成例を示す平面図である。
【図２】図１のＩＩ−ＩＩ線に沿う断面図である。
【図３】実施形態に係る吸収体の構成例を示す平面図及び断面図である。
【図４】実施形態に係る使い捨ておむつの背側部の一部を拡大した平面図である。
【図５】実施形態に係る使い捨ておむつの腹側部の一部を拡大した平面図である。
【図６】実施形態に係る使い捨ておむつの効果を説明する模式図である。
【図７】別の実施形態に係る図１のＩＩ−ＩＩ線に沿う断面図である。
【図８】別の実施形態に係る使い捨ておむつの背側部の一部を拡大した平面図である。
【発明を実施するための形態】
【００１７】
以下、実施形態に係る使い捨ておむつを、パンツ型の使い捨ておむつを例に説明する。ただし、使い捨ておむつの種類はこの例に限定されるものではなく、本発明の趣旨の範囲を逸脱しない限り、他の種類の使い捨ておむつでもよい。そのような使い捨ておむつとして、例えば、テープ型の使い捨ておむつが挙げられる。
【００１８】
図１及び図２は実施形態に係る使い捨ておむつ１の構成例を示す図である。図１は使い捨ておむつ１を展開した状態を示す平面図であり、図２は図１のＩＩ−ＩＩ線に沿った断面図である。使い捨ておむつ１は、図１に示す状態において、互いに直交する長手方向Ｌ、幅方向Ｗ及び厚さ方向Ｔを有し、幅方向Ｗの中心を通り長手方向Ｌに延びる長手方向中心線ＣＬと、長手方向Ｌの中心を通り幅方向Ｗに延びる幅方向中心線ＣＷとを有する。長手方向中心線ＣＬに近づく向き及び側をそれぞれ幅方向Ｗの内向き及び内側とし、遠ざかる向き及び側をそれぞれ幅方向Ｗの外向き及び外側とする。幅方向中心線ＣＷに近づく向き及び側をそれぞれ長手方向Ｌの内向き及び内側とし、遠ざかる向き及び側をそれぞれ長手方向Ｌの外向き及び外側とする。また、長手方向Ｌにおける、装着者の腹部に対応する使い捨ておむつ１の端縁（腹側の端縁）に向かう側を長手方向Ｌの前側ともいい、装着者の背中に対応する使い捨ておむつ１の端縁（背側の端縁）に向かう側を長手方向Ｌの後側ともいう。「平面視」とは長手方向Ｌ及び幅方向Ｗを含む平面に展開した状態の使い捨ておむつ１を厚さ方向Ｔの上方側から見ることをいい、「平面形状」とは平面視で把握される形状をいう。「平面方向」とは幅方向Ｗ及び長手方向Ｌを含む面と平行な任意の方向である。「肌側」及び「非肌側」とは使い捨ておむつ１が装着者に装着されたときに、厚さ方向Ｔにおいて相対的に装着者の肌面に近くなる側及び遠くなる側をそれぞれ意味する。これら定義は使い捨ておむつ１だけでなく、使い捨ておむつ１の吸収体やそれらに配置された各資材にも共通に用いる。
【００１９】
なお、部材や構造や形状などが長手方向Ｌに沿うとは、部材等が長手方向Ｌに平行な場合だけでなく、部材等の長手方向Ｌの成分Ｄｘが、部材等の幅方向Ｗの成分Ｄｙよりも大きい場合（Ｄｘ＞Ｄｙ）も含んでいる。同様に、部材等が幅方向Ｗに沿うとは、部材等が幅方向Ｗに平行な場合だけでなく、部材等の幅方向Ｗの成分Ｄｙが、部材等の長手方向Ｌの成分Ｄｘよりも大きい場合（Ｄｙ＞Ｄｘ）も含んでいる。曲線状や曲面状の部材等に関しては、曲線等上の各点の接線について、部材等を上記のように評価する。
【００２０】
図１に示すように、使い捨ておむつ１は、長手方向Ｌにおいて、腹側部（腹側ウエストベルト）２と、背側部（背側ウエストベルト）３と、腹側部２と背側部３との間に位置する吸収性本体１０と、を備える。本実施形態では、使い捨ておむつ１は、腹側部２と背側部３との間に位置する股間部４を更に備える。腹側部２は、装着者の腹部に当接する部分である。背側部３は、装着者の尻部又は背部に当接する部分である。吸収性本体１０は装着者の股間に当接する部分であり、長手方向Ｌの一端部が腹側部２に、他端部が背側部３にそれぞれ積層される。股間部４は、吸収性本体１０を非肌側から支持する部分である。腹側部２の幅方向Ｗの両端部２ａ、２ａと、背側部３の幅方向Ｗの両端部３ａ、３ａとが、それぞれ厚さ方向Ｔに重なり、長手方向Ｌに沿って接合されることで、使い捨ておむつ１が形成される。この場合、使い捨ておむつ１では、腹側部２における長手方向Ｌの外側の端部２ｅと背側部３における長手方向Ｌの外側の端部３ｅとにより装着者の腰が通るウエスト開口部が画定される。また、使い捨ておむつ１では、股間部４における幅方向Ｗの両側の側部５ｅ、５ｅにより装着者の脚が通る一対のレッグ開口部が画定される。なお、腹側部（腹側ウエストベルト）２及び背側部（背側ウエストベルト）３は、両端部２ａ、２ａと両端部３ａ、３ａとが接合する長手方向Ｌの範囲で画定される部分といえる。
【００２１】
本実施形態では、図１に示す状態で、腹側部２及び背側部３はそれぞれ概ね幅方向Ｗに拡がる矩形形状を有し、長手方向Ｌに互いに離間している。股間部４は、腹側部２と背側部３との間に位置し、幅方向Ｗの両側縁が幅方向Ｗの内向きに窪んでいる。腹側部２、股間部４及び背側部３は互いに一体的に形成される。別の実施形態では、腹側部２、股間部４及び背側部３は互いに別個に形成される。更に、別の実施形態（図示されず）では、使い捨ておむつ１は、腹側部２及び背側部３を備え、股間部４を備えない。
【００２２】
本実施形態では、腹側部２、背側部３及び股間部４は、液不透過性のカバーシート（シート部材）５を備える。カバーシート５は、肌側に位置するカバーシート５ａと非肌側に位置するカバーシート５ｂとを含む。カバーシート５ａとカバーシート５ｂとは厚さ方向Ｔに積層され、接着剤等で互いに接合される。カバーシート５ｂの長手方向Ｌの両端部は、カバーシート５ａの長手方向Ｌの両端部を覆うように、肌側に折り返される。その場合、腹側部２及び背側部３における折り返しの位置のカバーシート５ｂが、それぞれ腹側部２の端部２ｅ及び背側部３の端部３ｅを構成する。
【００２３】
カバーシート５としては、例えば液不透過性の不織布や合成樹脂フィルム、これらの複合シート、ＳＢ不織布、ＳＭＳ不織布など、任意の液不透過性シートが挙げられる。カバーシート５の材料としては、例えばポリプロピレンやポリエチレンなどのポリオレフィン系材料が挙げられる。カバーシート５の坪量は、例えば５〜１００ｇ／ｍ２であり、好ましくは１０〜５０ｇ／ｍ２である。カバーシート５の厚さ方向Ｔの寸法（厚さ）としては、例えば０．１〜５ｍｍであり、好ましくは０．１〜２ｍｍである。別の実施形態ではカバーシート５は一枚、又は、三枚以上である（図示されず）。更に別の実施形態ではカバーシート５ｂは折り返されていない（図示されず）。
【００２４】
本実施形態では、腹側部２及び背側部３は、カバーシート５ａとカバーシート５ｂとの間に、それぞれウェストギャザー用の複数の弾性部材６ａ、６ｂ及び複数の弾性部材７ａ、７ｂを備える。複数の弾性部材６ａ、６ｂは、それぞれ腹側部２の長手方向Ｌの外側及び内側に配置される。複数の弾性部材６ａは、長手方向中心線ＣＬを挟んで両側のそれぞれの所定領域において、幅方向Ｗに沿って、長手方向Ｌに互いに間隔を空けて配置される。所定領域は、端部２ａから吸収性本体１０における端部２ａに対向する幅方向Ｗの端縁の内側の部分までの領域である。複数の弾性部材６ｂは、幅方向Ｗに沿って、一方の端部２ａから他方の端部２ａまで延びており、長手方向Ｌに互いに間隔を空けて配置される。同様に、複数の弾性部材７ａ、７ｂは、それぞれ背側部３の長手方向Ｌの外側及び内側に配置される。複数の弾性部材７ａは、長手方向中心線ＣＬを挟んで両側のそれぞれの所定領域において、幅方向Ｗに沿って、長手方向Ｌに互いに間隔を空けて配置される。所定領域は、端部３ａから吸収性本体１０における端部３ａに対向する幅方向Ｗの端縁の内側の部分までの領域である。複数の弾性部材７ｂは、幅方向Ｗに沿って、一方の端部３ａから他方の端部３ａまで延びており、長手方向Ｌに互いに間隔を空けて配置される。複数の弾性部材６ａ、６ｂ、７ａ、７ｂは、ウエスト開口部を伸縮させるものであり、糸ゴムに例示される。腹側部（腹側ウエストベルト）２及び背側部（背側ウエストベルト）３は、複数の弾性部材６ａ、６ｂ、７ａ、７ｂが配置された長手方向Ｌの範囲で画定される部分ともいえる。
【００２５】
本実施形態では、使い捨ておむつ１は、股間部４から背側部３及び腹側部２にレッグギャザー用の複数の弾性部材８を備える。複数の弾性部材８は、主に股間部４における幅方向Ｗの両端部を長手方向Ｌに沿って延設されている。複数の弾性部材８は、一対のレッグ開口部をそれぞれ伸縮させるものであり、糸ゴムに例示される。
【００２６】
本実施形態では、吸収性本体１０は、略矩形の形状を有し、液透過性の表面シート１２と、液不透過性の裏面シート１３と、表面シート１２と裏面シート１３との間に位置し、液を吸収・保持する吸収体１４と、を含む。表面シート１２として、例えば液透過性の不織布や織布、液透過孔が形成された合成樹脂フィルム、これらの複合シートなどが挙げられる。裏面シート１３として、例えば液不透過性の不織布や合成樹脂フィルム、これらの複合シート、ＳＭＳ不織布などが挙げられる。吸収体１４は、本実施形態では液を吸収し保持する吸収コアと吸収コアを内包するコアラップとを含む。吸収体１４の詳細は後述される。吸収体１４と表面シート１２及び裏面シート１３とはそれぞれ接着剤により接合され、表面シート１２と裏面シート１３とはそれらの周縁部分において接着剤により接合される。接着剤は使い捨ておむつで公知の材料、例えばホットメルト接着剤が挙げられる。吸収性本体１０の形状は、長手方向Ｌに長い形状ならば上記例に限定されず、例えば角が丸い矩形や、短辺が外側に凸曲線の矩形や砂時計型が挙げられる。また、別の実施形態では、裏面シート１３が省略され、吸収体１４の非肌側の面及び表面シート１２の周縁部分の非肌側の面がカバーシート５に接合される。
【００２７】
本実施形態では、吸収性本体１０は、肌側の表面において、幅方向Ｗの両側に位置し、長手方向Ｌに延びる一対のサイドシート１７、１７を含む。各サイドシート１７は、防漏壁１６と、固定領域１５、１５とを有する。固定領域１５、１５は、サイドシート１７における長手方向Ｌの前側及び後側の端部に位置し、吸収性本体１０の肌側の表面に固定される。防漏壁１６は、サイドシート１７における長手方向Ｌの前側及び後側の固定領域１５、１５の間に位置し、それらに隣接しており、吸収性本体１０の肌側の表面に幅方向Ｗの外側の端縁を固定され、幅方向Ｗの内側の端縁を非固定とされている。この場合、防漏壁１６及び固定領域１５、１５は、例えばサイドシート１７の幅方向Ｗの内側の部分で形成され、サイドシート１７の幅方向Ｗの外側の部分は吸収性本体１０に固定される。このように、吸収性本体１０は、一対の防漏壁１６、１６を備える。一対の防漏壁１６、１６は、吸収性本体１０における肌側の幅方向Ｗの両端部に、互いに向かい合うように配置され、長手方向Ｌに沿って連続的に延在する。各防漏壁１６は、幅方向Ｗの内側の端部に、長手方向Ｌに沿って延びる二本の弾性部材６１を含む。弾性部材６１は糸ゴムに例示される。別の実施形態では、一対の防漏壁１６、１６の各々は、幅方向Ｗの内側の端部を、更に幅方向Ｗの外側へ折り返される（後述）。別の実施形態では弾性部材６１は一本、又は、三本以上である。一対の防漏壁１６、１６の各々は疎水性シート、例えば疎水性不織布で形成される。別の実施形態では、親水性シート、例えば親水性不織布で形成される。
【００２８】
次に、図１〜図３を参照して、吸収体１４について説明する。ただし、図３は実施形態に係る吸収体１４の構成例を示す図であり、（ａ）は平面図であり、（ｂ）は（ａ）におけるＩＩＩｂ−ＩＩＩｂ線に沿った断面図である。吸収体１４は、液吸収性能及び液保持性能を有する層であり、本実施形態では、肌側に位置する第１吸収層４１と、非肌側に位置する第２吸収層４２と、第１吸収層４１と第２吸収層４２との間に位置する中間層４３と、を備える。吸収体１４は、第１吸収層４１と中間層４３と第２吸収層４２とが厚さ方向Ｔにこの順に積層された二層構造を有する。なお、別の実施形態では、吸収体１４は、中間層４３が存在せず、第１吸収層４１と第２吸収層４２とが厚さ方向に一体化した一層構造を有する。更に別の実施形態では、吸収体１４は、第１吸収層４１と第２吸収層４２との間に他の中間層及び他の吸収層を更に積層した三層以上の多層構造である。別の実施形態では、第１吸収層４１は肌側に位置し、第２吸収層４２は非肌側に位置する。
【００２９】
本実施形態では、吸収体１４は、長手方向Ｌに延びる略矩形の平面形状を有する。吸収体１４は、吸収コアとして第１吸水材４５及び第２吸水材４７を有し、コアラップとして第１基材４４及び第２基材４６を有すると見ることができる。ただし、その形状は特に限定されるものではなく、例えば、短辺が円弧状に突出した長方形、角丸長方形、楕円、砂時計が挙げられる。吸収体１４の厚さは、例えば０．５〜２０ｍｍが挙げられ、好ましくは１〜１０ｍｍである。吸収体１４の坪量は、パンツ型おむつ１に要求される吸収性能に応じて適宜調整され得るが、例えば６０〜１６００ｇ／ｍ２が挙げられる。
【００３０】
本実施形態では、第１吸収層４１は、液透過性を有するシートで形成された第１基材４４と、第１基材４４よりも中間層４３側に配置され、吸水性ポリマーを含む吸水材を有する第１吸水材４５と、を含む。第１吸収層４１は、吸収コアとして第１吸水材４５を有し、コアラップとして第１基材４４（及び中間層４３）を有すると見ることができる。なお、別の実施形態では、コアラップとして、第１基材４４（及び中間層４３）とは別に、それらの内側に第１吸水材４５を包み込む、例えばティッシュ製のコアラップシートを有する。第１吸水材４５は、第１基材４４の中間層４３側の表面及び中間層４３の第１基材４４側の表面の少なくとも一方に塗布された接着剤により、第１基材４４及び中間層４３の少なくとも一方に固定される。第１吸水材４５の吸水材は、第１吸収層４１内に概ね均一の坪量で配置される。ただし、長手方向Ｌ及び／幅方向Ｗの端部の坪量は端縁に向かって緩やかに減少してもよい。この場合、端部は例えば長手方向Ｌ及び／幅方向Ｗの両端における、長手方向Ｌ及び／幅方向Ｗの最大寸法の１０％以内の領域である。別の実施形態では、第１吸水材４５の吸水材は、第１吸収層４１内に坪量の多い箇所と少ない箇所を有する所定の分布で配置される。第１吸水材４５は、略矩形の平面形状を有する。第１基材４４は、略矩形の平面形状を有し、平面視で第１吸水材４５を肌側から覆っており、第１基材４４の周縁部分は第１吸水材４５の周囲からやや外側に延在する。第１吸収層４１の平面方向の外寸（外縁）は、例えば第１吸水材４５の平面方向の外寸（外縁）とする。その外寸（外縁）は、例えば第１吸水材４５の厚さ方向Ｔの半分の位置で測定される。
【００３１】
本実施形態では、第２吸収層４２は、保水性及び液拡散性を有するシートで形成された第２基材４６と、第２基材４６よりも中間層４３側に配置され、吸水性ポリマーを含む吸水材を有する第２吸水材４７と、を含む。第２吸収層４２は、吸収コアとして第２吸水材４７を有し、コアラップとして第２基材４６（及び中間層４３）を有すると見ることができる。なお、別の実施形態では、コアラップとして、第２基材４６（及び中間層４３）とは別に、それらの内側に第２吸水材４７を包み込む、例えばティッシュ製のコアラップシートを有する。第２吸水材４７は、第２基材４６の中間層４３側の表面及び中間層４３の第２基材４６側の表面の少なくとも一方に塗布された接着剤により、第２基材４６及び中間層４３の少なくとも一方に固定される。第２吸水材４７の吸水材は、一対のチャネル４８、４８（後述）を除き、第２吸収層４２内に概ね均一の坪量で配置される。ただし、長手方向Ｌ及び／幅方向Ｗの端部の坪量は端縁に向かって緩やかに減少してもよい。この場合、端部は上記のとおりである。別の実施形態では、第２吸水材４７の吸水材は、第２吸収層４２内に坪量の多い箇所と少ない箇所を有する所定の分布で配置される。第２吸水材４７は、第１吸水材４５よりも幅方向Ｗ及び長手方向Ｌに一回り大きい略矩形の平面形状を有する。第２基材４６は、略矩形の平面形状を有し、平面視で第２吸水材４７を非肌側から覆っており、第２基材４６の周縁部分は第２吸水材４７の周囲からやや外側に延在する。そのとき、第２基材４６の幅方向Ｗの両端部は、第２吸水材４７の両側面を覆いつつ、第１基材４４の幅方向Ｗの両端部における肌側の表面を覆う。すなわち、第１吸収層４１の幅方向Ｗの端部における肌側の表面において、第２基材４６の幅方向Ｗの端部と、第１基材４４の幅方向Ｗの端部とが重ね合わされて接合される。第２吸収層４２の平面方向の外寸（外縁）は、例えば第２吸水材４７の平面方向の外寸（外縁）とする。その外寸（外縁）は、例えば第２吸水材４７の厚さ方向Ｔの半分の位置で測定される。
【００３２】
このように、第２基材４６の幅方向Ｗの両端部が、第２吸水材４７の幅方向Ｗの側面を覆い、第１基材４４の幅方向Ｗの側面を更に覆うことにより、第２吸水材４７が幅方向Ｗにおいて第２吸収層４２に封入され、第１吸水材４５が幅方向Ｗにおいて第１吸収層４１に封入される。別の実施形態では、第１基材４４の幅方向Ｗの両端部が、第２基材４６の幅方向Ｗの両端部を覆う。更に別の実施形態では、幅方向Ｗの両端部では、第１基材４４、中間層４３及び第２基材４６が厚さ方向Ｔに積層され、接合される。
【００３３】
本実施形態では、吸収体１４の長手方向Ｌの両端部では、第１基材４４、中間層４３及び第２基材４６が厚さ方向Ｔに積層され、接合される。それにより、第２吸水材４７が長手方向Ｌにおいて第１基材４４と中間層４３とにより第２吸収層４２に封入され、第１吸水材４５が長手方向Ｌにおいて第２基材４６と中間層４３とにより第２吸収層４２に封入される。別の実施形態では、吸収体１４の長手方向Ｌの両端部は第１基材４４及び第２基材４６では覆われない。
【００３４】
本実施形態では、中間層４３は、液透過性を有するシートであり、略矩形の平面形状を有する。中間層４３は、上部層４３ａと、上部層４３ａの非肌側の面における幅方向Ｗの両側に隣接する一対の下部層４３ｂ、４３ｂと、を備える。中間層４３は、略矩形の平面形状を有するシート部材において、幅方向Ｗの中央部分の両側に位置する一対の側部分を、中央部分の非肌側に折り返して重ね合わせることで形成される。そのとき、シート部材の中央部分が上部層４３ａとなり、シート部材の一対の側部分が一対の下部層４３ｂ、４３ｂとなる。したがって、中間層４３における幅方向Ｗの両側の部分は、いずれも、上部層４３ａと下部層４３ｂとが積層された二層構造となり、長手方向Ｌに延びる略矩形の形状を有する。中間層４３における幅方向Ｗの中心の近傍の部分４３ｄは、上部層４３ａのみの一層構造となり、長手方向Ｌに沿って延びる略矩形を有する。二層構造の上部層４３ａと下部層４３ｂとは、部分４３ｄの幅方向Ｗの両側で長手方向Ｌに沿って延びる一対の熱シール部４３ｃ、４３ｃにより接合される。加熱しつつ圧搾することにより熱シール部４３ｃが形成される。別の実施形態では、二層構造の上部層４３ａと下部層４３ｂとは、部分４３ｄの幅方向Ｗの両側で長手方向Ｌに沿って延びるエンボス部により接合される。圧搾によりエンボス部が形成される。また、更に別の実施形態では、熱シール部やエンボス部は複数の点や複数の曲線や模様の形状を有する。中間層４３は、幅方向Ｗの両端縁を、第１基材４４及び第２基材４６の幅方向Ｗの両端部に挟持され、長手方向Ｌの両端縁を、第１基材４４及び第２基材４６の長手方向Ｌの両端部に挟持されて、それぞれ接合される。別の実施形態では、長手方向Ｌの両端縁を、第１基材４４及び第２基材４６の長手方向Ｌの両端部に挟持されず、接合されない。二層構造にすることで液体を一時的に貯蔵でき、高吸水性ポリマーの吸収に要する時間を確保し易くできる。
【００３５】
本実施形態では、吸収体１４は、長手方向Ｌに沿って延びる一対のチャネル４８、４８を有する。一対のチャネル４８、４８は、第２吸収層４２に位置し、長手方向Ｌに延設され、長手方向中心線ＣＬを挟んで幅方向Ｗの両側に所定間隔で並んだ帯状の領域である。チャネル４８は、長手方向Ｌの少なくとも中央部に、幅方向中心線ＣＷを跨ぐように形成される。別の実施形態では、チャネル４８は、長手方向Ｌの両端縁の少なくとも一方に達するように形成される。一対のチャネル４８、４８の平面視でのパターンは、例えば両者の間隔が、長手方向Ｌに沿って一定であるように形成されたパターンである。別の実施形態では、一対のチャネル４８、４８のパターンが、例えば長手方向Ｌの中央付近において狭く、長手方向Ｌの両外側に向かうに連れて拡がるように形成されたパターンである。ここで、チャネル４８は、吸収体１４におけるチャネルの周囲の領域と比較して、吸水材の坪量が少ない領域であり、例えば、第２吸収層４２におけるチャネル４８の周囲の領域と比較して、吸水材の坪量が少ない領域であり、坪量がゼロの場合を含む。チャネル４８は、第２基材４６が中間層４３側へ窪むように、すなわち第２吸水材４７が中間層４３側へ窪むように形成される。別の実施形態では、第２吸水材４７が第２基材４６側へ窪むように形成される。また、一対のチャネル４８、４８は、一対の熱シール部４３ｃ、４３ｃと厚さ方向Ｔに重なる。別の実施形態では、チャネル４８の少なくとも一部は、熱シール部４３ｃと厚さ方向Ｔに重ならない。なお、別の実施形態では、チャネル４８は、長手方向Ｌではなく又は長手方向Ｌだけでなく、幅方向Ｗに沿って延びる。更に別の実施形態では、チャネル４８は、一本又は三本以上の複数本である。更に別の実施形態では、チャネル４８は、第２吸収層４２ではなく、又は、第２吸収層４２に加えて、第１吸収層４１に形成される。更に別の実施形態では、チャネル４８は、形成されない。
【００３６】
第１吸水材４５及び第２吸水材４７は、上記のように、高吸水性ポリマー（Ｓｕｐｅｒ  Ａｂｓｏｒｂｅｎｔ  Ｐｏｌｙｍｅｒ；ＳＡＰ）を含む。高吸水性ポリマーとしては、水分を吸収し保持できるポリマーであれば特に制限はなく、例えば粒子状又は繊維状の高吸水性ポリマーが挙げられる。第１吸水材４５及び第２吸水材４７の高吸水性ポリマーの坪量は、使い捨ておむつ１に要求される吸収性能に応じて適宜調整され得るが、例えばそれぞれ１０〜５００ｇ／ｍ２が挙げられ、好ましくは１００〜４００ｇ／ｍ２である。第１吸水材４５及び第２吸水材４７の坪量は、一方が他方よりも多くてもよく、同等でもよい。ただし、同等とは、一方が他方の±３０％の範囲をいう。第１吸水材４５及び第２吸水材４７は、パルプ繊維や吸水性繊維のような親水性繊維を更に有してもよい。第１吸水材４５及び第２吸水材４７に対する高吸水性ポリマーの割合は、例えば８０〜１００質量％が挙げられ、好ましくは９０〜１００質量％であり、より好ましくは９５〜１００質量％である。したがって、第１吸水材４５及び第２吸水材４７は高吸水性ポリマーを主成分として含むということができ、吸収体１４はいわゆるＳＡＰシートということができる。ただし、吸収体１４（第１吸水材４５及び第２吸水材４７だけでなく、接着剤、第１基材４４、中間層４３及び第２基材４６を含む）に対する高吸水性ポリマーの割合としては、例えば４０〜８０質量％が挙げられ、好ましくは５０〜８０質量％であり、より好ましくは６０〜８０質量％である。本実施形態では、第１吸水材４５及び第２吸水材４７は、高吸水性ポリマーのみで構成され、親水性繊維を含まない。別の実施の形態では、第１吸水材４５及び第２吸水材４７は、高吸水性ポリマーの他に、パルプ繊維及び／又は吸水性繊維を含む。
【００３７】
高吸水性ポリマーとしては、例えば、デンプン系、セルロース系、合成ポリマー系の高分子吸収剤が挙げられる。デンプン系又はセルロース系の高吸水性ポリマーとしては、例えば、デンプン−アクリル酸（塩）グラフト共重合体、デンプン−アクリロニトリル共重合体のケン化物、ナトリウムカルボキシメチルセルロースの架橋物が挙げられる。合成ポリマー系の高吸水性ポリマーとしては、例えば、ポリアクリル酸塩系、ポリスルホン酸塩系、無水マレイン酸塩系、ポリアクリルアミド系、ポリビニルアルコール系、ポリエチレンオキシド系、ポリアスパラギン酸塩系、ポリグルタミン酸塩系、ポリアルギン酸塩系、デンプン系、セルロース系等が挙げられる。本実施の形態では、ポリアクリル酸塩系（特に、ポリアクリル酸ナトリウム系）の高吸水性ポリマーが好ましい。また、本実施の形態では、吸収体１４において、高吸水性ポリマーの９０〜１００質量％が１５０〜５００μｍの粒径を有する高吸水性ポリマー粒子から構成されることが好ましい。このような粒径分布を有する高吸水性ポリマー粒子は、粒径が小さく均一であるので、接着剤に保持されやすい。高吸水性ポリマー粒子の粒径は、ＪＩＳ  Ｒ  ６００２：１９９８に記載のふるい分け試験方法に準拠して測定される。
【００３８】
接着剤としては、高吸水性ポリマーを固定できる接着剤であれば特に限定はなく、例えばホットメルト接着剤が挙げられる。接着剤の塗布のパターンとしては、特に制限はないが、例えば連続的又は間欠的なオメガパターン、スパイラルパターン、ラインパターンが挙げられる。接着剤の坪量は、吸収体１４の液体吸収性が著しく低下しないように適宜調整され得るが、例えば各層ごとに３〜５０ｇ／ｍ２が挙げられる。ただし、各層とは、第１吸水材４５と第１基材４４との間の接着剤の層、第１吸水材４５と中間層４３との間の接着剤の層、第２吸水材４７と第２基材４６との間の接着剤の層、第２吸水材４７と中間層４３との間の接着剤の層である。
【００３９】
第１基材４４としては、液透過性を有するシートであれば特に制限はない。第１基材４４としては、例えば液透過性の不織布、親水性の不織布、それらの積層不織布が挙げられ、中でも透水性が高い不織布が好ましい。例えば、ポリエチレン（ＰＥ）、ポリプロピレン（ＰＰ）のようなポリオレフィン繊維、ポリエチレンテレフタレート（ＰＥＴ）、ポリトリメチレンテレフタレート（ＰＴＴ）、ポリエチレンナフタレート（ＰＥＮ）のようなポリエステル繊維、又はそれらの組み合わせから形成されるスパンボンド不織布やエアスルー不織布が挙げられる。これらの繊維は公知の方法で親水化処理されていることが好ましい。あるいは、例えば、パルプ繊維やレーヨン繊維のような親水性繊維を親水性バインダで被覆したエアレイド不織布や、上記の親水性繊維と上記の合成繊維とを組み合わせたスパンレース不織布が挙げられる。本実施の形態では、液透過性、液保持性を有する、パルプ繊維を親水性バインダで被覆したエアレイド不織布を用いる。なお、第１基材４４として、上記の不織布のうちの一種類又は複数の種類の不織布を複数層、積層してもよい。第１基材４４の坪量は、例えば１０〜１００ｇ／ｍ２が挙げられ、好ましくは２０〜８０ｇ／ｍ２である。第１基材４４の厚さは、例えば０．１〜５ｍｍが挙げられ、好ましくは０．１５〜３ｍｍである。
【００４０】
第２基材４６としては、保水性及び液拡散性を有するシートであれば特に制限はない。第２基材４６としては、例えば、ポリアミド繊維のような合成繊維、レーヨン繊維やアセテート繊維のような再生繊維、綿、絹、麻、パルプ（セルロース）繊維のような天然繊維、又はそれらの組み合わせから形成される不織布が挙げられる。具体的には、例えば、ナイロンを含むスパンボンド不織布や、レーヨン繊維及び／又はパルプ繊維を含むスパンレース不織布が挙げられる。レーヨン繊維及び／又はパルプ繊維を含むスパンレース不織布には、ポリオレフィン繊維及び／又はポリエステル繊維を含んでいてもよい。本実施の形態では、液保持性、液拡散性を有する、レーヨン繊維及びパルプ繊維を含むスパンレース不織布を用いる。なお、第２基材４６として、上記の不織布のうちの一種類又は複数の種類の不織布を複数層、積層してもよい。第２基材４６の坪量は、例えば１０〜２００ｇ／ｍ２が挙げられ、好ましくは３５〜１５０ｇ／ｍ２である。第２基材４６の厚さは、例えば０．１〜５ｍｍが挙げられ、好ましくは０．１５〜３ｍｍである。
【００４１】
中間層４３としては液透過性を有するシートであれば特に制限はない。中間層４３としては、例えば第１基材４４と同様のシートを用いることができる。中間層４３の坪量は、例えば１０〜１００ｇ／ｍ２が挙げられ、好ましくは１５〜８０ｇ／ｍ２である。中間層４３の厚さは、例えば０．１〜５ｍｍが挙げられ、好ましくは０．１５〜３ｍｍである。
【００４２】
本実施形態では、図３に示すように、吸収体１４は、長手方向Ｌに沿って並んだ、背側領域ＢＡと、腹側領域ＦＡと、股間領域ＭＡと、を備える。ただし、背側領域ＢＡは、吸収体１４における背側部３と厚さ方向Ｔに重なる領域である。また、腹側領域ＦＡは、吸収体１４における腹側部２と厚さ方向Ｔに重なる領域である。股間領域ＭＡは、吸収体１４における背側領域ＢＡと腹側領域ＦＡとの間に位置する領域、すなわち股間部４と厚さ方向Ｔに重なる領域である。したがって、吸収体１４は、長手方向Ｌに沿って、背側部３と重なる背側領域ＢＡと、腹側部２と重なる腹側領域ＦＡと、股間部４と重なる股間領域ＭＡと、に区画される。
【００４３】
本実施形態では、また、吸収体１４は、高坪量域１４ａと、低坪量域１４ｂ、非配置域１４ｃと、を含む。高坪量域１４ａは、高吸水性ポリマーの坪量が高い領域であり、第１吸収層４１と第２吸収層４２とが厚さ方向Ｔに重なった領域である。高坪量域１４ａと低坪量域１４ｂとの境界は、例えば第１吸収層４１の外縁とする。低坪量域１４ｂは、高吸水性ポリマーの坪量が低い領域であり、厚さ方向Ｔに第１吸収層４１が存在せず、第２吸収層４２のみ存在する領域である。低坪量域１４ｂと非配置域１４ｃとの境界は、例えば第２吸収層の外縁とする。非配置域１４ｃは、高吸水性ポリマーを含まない領域であり、厚さ方向Ｔに第１吸収層４１及び第２吸収層４２が存在しない領域である。ただし、高吸水性ポリマーを含まないとは、高吸水性ポリマーは存在するがその坪量が非常に少ない場合を含む。「非常に少ない」とは、高吸水性ポリマーの坪量が高坪量域１４ａの高吸水性ポリマーの坪量の５％以下の場合をいう。高坪量域１４ａ、低坪量域１４ｂ及び非配置域１４ｃは、略矩形形状を有する。ただし、その形状は特に限定されるものではなく、例えば、短辺が円弧状に突出した長方形、角丸長方形、楕円、砂時計が挙げられる。また、平面視で、長手方向Ｌ及び幅方向Ｗにおいて、低坪量域１４ｂは高坪量域１４ａの周囲を略枠状に囲む（少なくとも三方を囲む）領域であり、低坪量域１４ｂの外寸は例えば高坪量域１４ａの外寸より５〜２５％大きい。非配置域１４ｃは低坪量域１４ｂの周囲を略枠状に囲む領域であり、非配置域１４ｃの外寸は例えば低坪量域１４ｂの外寸のより３〜１５％大きい。また、低坪量域１４ｂの坪量は高坪量域１４ａの坪量の、例えば４０〜６０％が挙げられ、非配置域１４ｃの坪量は高坪量域１４ａの坪量の、例えば０〜５％が挙げられる。なお、吸収体１４が第１吸収層４１と第２吸収層４２とを有さない一層の場合など、二つの領域に区別し難い場合、高坪量域は、吸水材（接着剤を含む）の厚さが、最高値から最高値の５０％までの範囲の領域とする。低坪量部は、吸水材（接着剤を含む）の厚さが、最高値の５０％から５％までの範囲の領域とし、非配置域は、吸水材（接着剤を含む）の厚さが、最高値の５％から０％までの範囲の領域とする。なお、厚さは、算術平均高さ（Ｒａ：ＪＩＳ  Ｂ  ０６０１−２００１）とする。
【００４４】
したがって、吸収体１４では、背側領域ＢＡは、高坪量域１４ａとしての背側高坪量域ＢＡａと、低坪量域１４ｂとしての背側低坪量域ＢＡｂと、非配置域１４ｃとしての背側非配置域ＢＡｃと、を含む。また、吸収体１４では、腹側領域ＦＡは、高坪量域１４ａとしての腹側高坪量域ＦＡａと、非配置域１４ｃとしての腹側非配置域ＦＡｃと、を含む。なお、股間領域ＭＡは、高坪量域１４ａのみを有している。したがって、背側高坪量域ＢＡａ及び腹側高坪量域ＦＡａの高吸水性ポリマーの坪量は、股間領域ＭＡの高吸水性ポリマーの坪量と同等である。なお、「同等」とは、一方が他方の０．７〜１．３倍（±３０％）の範囲にあることをいう。別の実施形態では、腹側領域ＦＡは、腹側高坪量域ＦＡａ及び腹側非配置域ＦＡｃの他に、低坪量域１４ｂとしての腹側低坪量域ＦＡｂを含む。
【００４５】
ここで、第２吸収層４２は、平面視で、長手方向Ｌの後側の端部に、第１吸収層４１の端縁よりも外側に突出した突出部を含む。その突出部は背側低坪量域ＢＡｂを含んでおり、本実施形態では、突出部は背側低坪量域ＢＡｂと同じである。第２吸収層４２は、中間層４３に覆われており、したがって、突出部、すなわち背側低坪量域ＢＡｂは、肌側を中間層４３及び第１基材４４で覆われている。更に、本実施形態では、第２吸収層４２は、平面視で、幅方向Ｗの両側の端部に、第１吸収層４１の端縁よりも外側に突出した幅方向突出部を含む。その幅方向突出部は、肌側を中間層４３及び第１基材４４で覆われている。別の実施形態では、第２吸収層４２は、平面視で、長手方向Ｌの前側の端部に、第１吸収層４１の端縁よりも外側に突出した他の突出部を含む。その他の突出部は腹側低坪量域を含む。更に別の実施形態では、突出部、すなわち背側低坪量域ＢＡｂは、肌側を中間層４３及び第１基材４４のいずれか一方で覆われ、他方で覆われない。更に別の実施形態では、第２吸収層４２は、平面視で、幅方向Ｗの両側の端部に、第１吸収層４１の端縁よりも外側に突出した幅方向突出部を含まない。
【００４６】
本実施形態の使い捨ておむつ１は、吸収体１４において、長手方向Ｌの腹側領域ＦＡ及び／又は背側領域ＢＡに、高吸水性ポリマーの坪量が低い低坪量域（例示：背側低坪量域ＢＡｂ）を備える。そのため、その低坪量域と、高吸水性ポリマーの坪量が高い股間領域ＭＡと、の間の位置に、秤量が変わる起点を形成できる。すなわち、吸収体１４において、長手方向Ｌに、剛性の低い低坪量域と、剛性の高い股間領域と、の間の位置に剛性の変わる起点を形成できる。本実施形態では、背側低坪量域ＢＡｂと背側高坪量域ＢＡａとの境界に秤量が変わる起点を形成できる。その起点は、略長手方向Ｌの略内側に向かう力が吸収体１４の端部（低坪量域；背側低坪量域ＢＡｂを含む部分）に加わったとき、その吸収体１４の端部が、吸収体１４の中央側の部分（股間領域ＭＡ；背側高坪量域ＢＡａを含む部分）へ向かって折れ曲がる折れ起点となり得る。
【００４７】
本実施形態の使い捨ておむつ１では、吸収体１４において、股間領域ＭＡの高吸水性ポリマーの坪量が相対的に高く、背側領域ＢＡ及び腹側領域ＦＡの少なくとも一方の低坪量域（例示：背側低坪量域ＢＡｂ）の吸水性ポリマーの坪量が相対的に低い。したがって、液体の吸収が必要な股間領域ＭＡには高吸水性ポリマーが相対的に多く配置されているので、吸収体１４が吸収性能を確保して液体（例示：尿）を漏らすことなく確実に吸収することができる。一方、液体の吸収がそれほど必要でない背側領域ＢＡ及び腹側領域ＦＡの少なくとも一方の低坪量域には高吸水性ポリマーを少なく配置することで、当該領域が薄くなるため、当該領域に対応する腹側部２又は背側部３が装着者の肌面に密着されるとき、吸収体が肌面に食い込み難くできる。それにより、装着者が違和感を覚え難くなり、使い捨ておむつ１のフィット性を改善することができる。したがって、高吸水性ポリマーを含む使い捨ておむつ１において、吸収性能を確保しながら、フィット性を改善することが可能となる。
【００４８】
図４は、実施形態に係る使い捨ておむつの背側部３を含む一部を拡大した平面図である。本実施形態では、背側部３は、幅方向Ｗの伸縮性が低い背側低伸縮域３１と、幅方向Ｗの伸縮性が高い一対の背側高伸縮域３２、３２と、を有する。背側低伸縮域３１は、背側部３における、幅方向Ｗの中央部に位置し、長手方向Ｌの前側の端縁から後側に延設される。一対の背側高伸縮域３２、３２は、背側低伸縮域３１の幅方向Ｗの両側に隣接する。背側低伸縮域３１は、幅方向Ｗの所定の引張力に対する伸び率（（伸長後の長さ−元の長さ）／（元の長さ））が、背側高伸縮域３２の幅方向Ｗの伸び率の１／３以下の領域であり、好ましくは１／５以下の領域であり、より好ましくは１／１０以下の領域である。例えば、背側低伸縮域３１は、幅方向Ｗに伸縮する弾性部材が存在しない領域、又は、弾性部材は存在するがその弾性部材は弾性部材としてあまり機能しない（あまり伸縮しない）領域、である。一方、背側高伸縮域３２は、幅方向Ｗに伸縮する弾性部材７ａが存在する領域である。したがって、弾性部材として機能し得る弾性部材７ａが存在する領域と、弾性部材として機能し得る弾性部材が存在しない領域とにより、背側高伸縮域３２と背側低伸縮域３１とが画定される。なお、伸縮性が「低い」とは、伸縮しない場合を含む。なお、各伸縮域の伸縮性は、弾性部材の伸縮性により判断する。背側部３は、幅方向Ｗに高い伸縮性を示す他の背側高伸縮域３４を更に有する。他の背側高伸縮域３４は、平面視で、一対の背側高伸縮域３２、３２及び背側低伸縮域３１の長手方向Ｌの後側に隣接する。他の背側高伸縮域３４は、幅方向Ｗの伸び率が、背側高伸縮域３２の幅方向Ｗの伸び率と概ね同じ領域である。他の背側高伸縮域３４は、弾性部材７ｂが存在する領域として画定される。したがって、背側部３の長手方向Ｌの後側の端部は、他の背側高伸縮域３４により装着者の背中に押し付けられ易くなる。
【００４９】
本実施形態では、チャネル４８の長手方向Ｌの後側の部分は、背側低伸縮域３１と厚さ方向Ｔに重なる。そして、平面視で、一対の背側高伸縮域３２、３２の各々における幅方向Ｗの内側の端縁Ｋ１は、吸収体１４における幅方向Ｗの当該背側高伸縮域３２に対向する端縁１４ＥＷとチャネル４８（の幅方向Ｗの端縁４８Ｅ）との間に位置する。端縁Ｋ１は、概ね弾性部材７ａの幅方向Ｗの内側の端縁である。したがって、チャネル４８の長手方向Ｌの後側の部分を含む吸収体１４のうち、幅方向Ｗの中央部は背側低伸縮域３１により幅方向Ｗにほとんど伸長されず、幅方向Ｗの両端部分は一対の背側高伸縮域３２、３２により幅方向Ｗに伸長される。
【００５０】
図５は、実施形態に係る使い捨ておむつの腹側部２を含む一部を拡大した平面図である。本実施形態では、腹側部２は背側部３と概ね同じである。すなわち、腹側部２は、幅方向Ｗの伸縮性が低い腹側低伸縮域３６と、幅方向Ｗの伸縮性が高い一対の腹側高伸縮域３７、３７と、を有する。腹側低伸縮域３６は、腹側部２における、幅方向Ｗの中央部に位置し、長手方向Ｌの後側の端縁から前側に延設される。一対の腹側高伸縮域３７、３７は、腹側低伸縮域３６の幅方向Ｗの両側に隣接する。腹側低伸縮域３６は、幅方向Ｗの所定の引張力に対する伸び率（（伸長後の長さ−元の長さ）／（元の長さ））が、腹側高伸縮域３７の幅方向Ｗの伸び率の１／３以下の領域であり、好ましくは１／５以下の領域であり、より好ましくは１／１０以下の領域である。例えば、腹側低伸縮域３６は、幅方向Ｗに伸縮する弾性部材が存在しない領域、又は、弾性部材は存在するがその弾性部材は弾性部材としてあまり機能しない（あまり伸縮しない）領域、である。一方、腹側高伸縮域３７は、幅方向Ｗに伸縮する弾性部材６ａが存在する領域である。したがって、弾性部材として機能し得る弾性部材６ａが存在する領域と、弾性部材として機能し得る弾性部材が存在しない領域とにより、腹側高伸縮域３７と腹側低伸縮域３６とが画定される。なお、各伸縮域の伸縮性は、弾性部材の伸縮性により判断する。腹側部２は、幅方向Ｗに高い伸縮性を示す他の腹側高伸縮域３９を更に有する。他の腹側高伸縮域３９は、一対の腹側高伸縮域３７、３７及び腹側低伸縮域３６の長手方向Ｌの前側に隣接する。他の腹側高伸縮域３９は、幅方向Ｗの伸び率が、腹側高伸縮域３７の幅方向Ｗの伸び率と概ね同じ領域である。他の腹側高伸縮域３９は、弾性部材６ｂが存在する領域として画定される。したがって、腹側部２の長手方向Ｌの前側の端部は、他の腹側高伸縮域３９により、装着者の腹部に押し付けられ易くなる。
【００５１】
本実施形態では、弾性部材６１における固定領域１５側の端縁６１ｅは、低坪量域（例示：背側低坪量域ＢＡｂ）と厚さ方向Ｔに重なる。ここで、弾性部材６１の端縁６１ｅとは、弾性部材６１における弾性力を発揮し得る有効部分における端縁である。したがって、弾性部材６１において、弾性力を発揮できない部分、例えば実質的に伸縮しない部分（所定の引張力に対する伸び率（（伸長後の長さ−元の長さ）／（元の長さ））が、本来の伸び率の１／５以下であり、好ましくは１／１０以下）が、弾性部材６１の端部に存在する場合、有効部分は、その部分を含まない。したがって、平面視で、固定領域１５と弾性部材６１（の有効部分）との距離を接近させることができる。
【００５２】
本実施形態では、チャネル４８の長手方向Ｌの前側の部分は、腹側低伸縮域３６と厚さ方向Ｔに重なる。そして、平面視で、一対の腹側高伸縮域３７、３７の各々における幅方向Ｗの内側の端縁Ｋ２は、吸収体１４における幅方向Ｗの当該腹側高伸縮域３７に対向する端縁１４ＥＷとチャネル４８（の幅方向Ｗの端縁４８Ｅ）との間に位置する。端縁Ｋ２は、概ね弾性部材６ａの幅方向Ｗの内側の端縁である。したがって、チャネル４８の長手方向Ｌの前側の部分を含む吸収体１４のうち、幅方向Ｗの中央部は腹側低伸縮域３６により幅方向Ｗにほとんど伸縮されず、幅方向Ｗの両端部分は一対の腹側高伸縮域３７、３７により幅方向Ｗに伸長される。
【００５３】
本実施形態の使い捨ておむつ１では、吸収体１４のチャネル４８が、長手方向Ｌにおいて、背側部３（背側ウエストベルト）及び腹側部２（腹側ウエストベルト）の少なくとも一方にまで達している。そのため、液体（例示：尿）を吸収体１４の背側（長手方向Ｌの後側）及び／又は腹側（長手方向Ｌの前側）の端部へ輸送、分配できる。それにより、吸収に寄与し難い吸収体１４における長手方向Ｌの後側や前側の端部の高吸水性ポリマーに液体を吸収させることができ、当該高吸水性ポリマーを有効に活用できる。そして、この使い捨ておむつ１は、背側部３及び腹側部２の少なくとも一方の高伸縮域（背側高伸縮域３２、腹側高伸縮域３７）における幅方向Ｗの内側の端部が、吸収体１４における幅方向Ｗの当該高伸縮域に対向する端縁１４ＷＥとチャネル４８との間に位置している。すなわち、吸収体１４の幅方向Ｗの中央部は、低伸縮域（背側低伸縮域３１、腹側低伸縮域３６）と厚さ方向Ｔに重なっている。そのため、吸収体１４を幅方向Ｗに収縮させる収縮力が強過ぎないため、装着前に吸収体１４の長手方向Ｌの背側の端部が幅方向Ｗに収縮して凸な形状になる事象を抑制できる。また、吸収体１４の幅方向Ｗの両側の部分は、高伸縮域と厚さ方向Ｔに重なっている。そのため、高伸縮域の収縮力により、吸収体１４を幅方向Ｗにチャネル４８の両側から引っ張ることができる。それにより、吸収体１４の長手方向Ｌの端部が凸な形状となり吸収性本体１０の長手方向Ｌの端部が装着者の身体から飛び出す、という事象を抑制できる。すなわち、装着前や装着後において、背側部３及び腹側部２の少なくとも一方における平面性を維持することができる。それにより、背側部３及び腹側部２の少なくとも一方と肌面との間に生じた隙間から液体が漏れる事態を抑制できる。これらにより、使い捨ておむつ１のフィット性の低下を抑制しつつ、液体の漏れを抑制することが可能となる。
【００５４】
次に、吸収体１４の製造方法について説明する。
まず、第２基材４６用シートを長手方向Ｌに移動させつつ、ホットメルト接着剤を第２基材４６用シートの上に塗布する。次いで、高吸水性ポリマー供給装置から高吸水性ポリマーを、ホットメルト接着剤を塗布された第２基材４６用シートにおける幅方向Ｗの両端部分及び中央部分の上に、それぞれ長手方向Ｌに沿って散布する。このとき、両端部分と中央部分との間の領域（チャネルに相当）には少量の高吸水性ポリマーが移行する。次いで、両面にホットメルト接着剤が塗布された中間層４３用シートを、第２基材４６用シート上の高吸水性ポリマーの上に積層する。次いで、その積層物を長手方向Ｌに移動させつつ、他の高吸水性ポリマー供給装置から高吸水性ポリマーを、ホットメルト接着剤を塗布された中間層４３用シートにおける幅方向Ｗの中央部分の上に長手方向Ｌに沿って散布する。次いで、中間層４３用シート上の高吸水性ポリマーの上に、ホットメルト接着剤を塗布した第１基材４４用シートを、ホットメルト接着剤を高吸水性ポリマー側にして積層する。そして、第２基材４６用シートにおける幅方向Ｗの両側部を、第１基材４４用シートにおける幅方向Ｗの両側部の上に折り返して、積層物を得る。その後、一対のプレスロールに積層物を通過させる、すなわちプレスすることにより、積層物の厚さを調整して、吸収体１４を得る。
【００５５】
次に、上記吸収体１４を用いた使い捨ておむつの製造方法について説明する。
上記のように作製した吸収体１４の上面（第１基材４４の表面）に、液透過性の表面シート１２を貼り付け、吸収体１４の下面（第２基材４６の表面）に液不透過性の裏面シート１３を貼り付けて、積層体を得る。次いで、防漏壁１６付きサイドシート１７を、積層体の幅方向Ｗの両側に取り付け、吸収性本体１０を得る。その後、吸収性本体１０をカバーシート５（弾性部材６、７、８を含む）上に貼り付け、腹側部２の幅方向Ｗの両端部２ａ、２ａと背側部３の幅方向Ｗの両端部３ａ、３ａとを接合する。それにより、使い捨ておむつ１が製造される。
【００５６】
図６は、実施形態に係る使い捨ておむ１つの効果を説明する模式図である。図６（ａ）、（ｂ）は従来技術のパンツ型おむつを示し、図６（ｃ）、（ｄ）は本実施形態のパンツ型おむつを示す（カバーシートは記載を省略）。まず、一般的な、使い捨ておむつでは、表面シート１１２、吸収体１１４及び裏面シート１１３がこの順に厚さ方向に積層される。そして、吸収体１１４の幅方向の両側には、吸収体１１４に沿って長手方向に延びる一対の防漏壁１１６、１１６が配置され、各防漏壁１１６の両端部は固定領域１１５により表面シート１１２に固定される。このような使い捨ておむつに、高吸水性ポリマーを相対的に多く含む吸収体を適用するとき、高吸水性ポリマーを平面状に概ね一様に配置した吸収体１１４を用いることが通常である。その使い捨ておむつの装着直後、すなわち、高吸水性ポリマーが液体（例示：尿）を吸収する前には、吸収体１１４の剛性は低い。そのため、図６（ａ）に示すように、吸収体１１４は比較的緩やかに曲がり、防漏壁１１６は比較的容易に装着者の肌面へ向かって起立できる。しかし、装着後に高吸水性ポリマーが液体を吸収して膨潤が進んだときには、吸収体１１４の剛性が高まる。そのため、図６（ｂ）に示すように、吸収体は長手方向に比較的真っ直ぐな形状になり、防漏壁１１６は、長手方向に両側から伸張されるように引っ張られてしまい、装着者の肌面へ向かって起立することが困難になる。その結果、防漏壁１１６の高さが低くなってしまい、一対の防漏壁１１６、１１６を越えて幅方向に液体が漏れるおそれがある。
【００５７】
一方、本実施形態の使い捨ておむつ１では、従来技術のパンツ型おむつと同様に、高吸水性ポリマーが液体（例示：尿）を吸収する前には、吸収体１４の剛性は低い。そのため、図６（ｃ）に示すように、吸収体１４は比較的緩やかに曲がり、防漏壁１６は比較的容易に装着者の肌面へ向かって起立できる。
一方、装着後に高吸水性ポリマーが液体を吸収して膨潤が進んだときには、吸収体１４の剛性が高まって、長手方向Ｌに比較的真っ直ぐな形状になる。そのため、防漏壁１６が長手方向Ｌの両側から伸張されるように引っ張られることで、防漏壁１６の長手方向Ｌの収縮力が増加する。このとき、使い捨ておむつ１では、その防漏壁１６の長手方向Ｌの収縮力により、固定領域１５の長手方向Ｌの中央側の端縁が、中央側に強く引っ張られる。それゆえ、使い捨ておむつ１でも、従来技術の使い捨ておむつと同様に図６（ｂ）のように、防漏壁１６が装着者の肌面へ向かって起立することが困難になることが考え得る。
しかし、使い捨ておむつ１では、吸収体１４では、上記のように、吸収体１４の端部が吸収体１４の中央側の部分へ向かって折れ曲がる折れ起点ＦＬが形成される。具体的には、背側低坪量域ＢＡｂと背側高坪量域ＢＡａとの境界において秤量が変わる起点が折れ起点ＦＬとなる。それゆえ、図６（ｄ）に示すように、吸収体１４の長手方向Ｌの端部（低坪量域；背側低坪量域ＢＡｂを含む部分）が装着者の肌面へ向かって起立するように、吸収体１４を折れ起点ＦＬで折ることができる。それにより、起立した吸収体１４の長手方向Ｌの端部によって防漏壁１６が長手方向Ｌの両側へ向かって引っ張られる程度を低下させることができ、防漏壁１６を装着者の肌面へ向かって起立させることができる。すなわち、防漏壁１６の高さが低くなることを抑制でき、防漏壁１６を越えて幅方向Ｗに液体が漏れることを抑制できる。
【００５８】
本実施形態では好ましい態様として、使い捨ておむつ１では、弾性部材６１の有効部分における固定領域１５の側の端縁６１ｅが低坪量域（例示：背側低坪量域ＢＡｂ）と厚さ方向Ｔに重なる。すなわち、平面視で、固定領域１５と有効部分との距離を接近させることができる。それにより、有効部分で固定領域１５を引っ張り易くできるので、吸収体１４の長手方向Ｌの端部が装着者の肌面へ向かって起立するように、吸収体１４を折れ起点でより容易に折ることができる。それにより、起立した吸収体１４の長手方向Ｌの端部によって防漏壁１６が長手方向Ｌの両側へ向かって引っ張られる程度をより低下させることができ、防漏壁１６を装着者の肌面へ向かってより起立させることができる。
【００５９】
本実施形態では好ましい態様として、固定領域１５における長手方向Ｌの中央側の端縁１５Ｅの位置は、低坪量域（例示：背側低坪量域ＢＡｂ）における股間領域ＭＡ側の端縁よりも股間領域ＭＡ側と反対側（例示：背側領域ＢＡ側）の端縁に近い。ただし、固定領域１５における長手方向Ｌの中央側の端縁１５Ｅの位置は、防漏壁１６の収縮力が作用する位置である。そして、低坪量域における股間領域側の端縁は折れ起点ＦＬになる位置である。したがって、使い捨ておむつ１では、収縮力が作用する位置を、折れ起点ＦＬの位置からより遠くに離れるように構成している。すなわち、使い捨ておむつ１では、収縮力が作用する固定領域１５と折れ起点ＦＬとの距離を、より大きくするように構成する。
ここで、一般に、回転軸に腕部材で固定された物体に、腕部材に対して垂直な方向の力Ｆを加えて、物体を回転軸の周りに回転させる場合、力Ｆが等しいときには、腕部材の長さｒが長いほうが、物体を回転させるためのトルクＮが大きくなる。
使い捨ておむつ１では、折れ起点ＦＬが回転軸に相当し、固定領域１５と折れ起点ＦＬとの間の部材が腕部材に相当し、よって固定領域１５と折れ起点ＦＬとの距離が腕部材の長さｒに相当し、固定領域１５を含む吸収体１４の端部が物体に相当し、防漏壁１６の収縮力が力Ｆに相当する。したがって、使い捨ておむつ１では、折れ起点ＦＬを軸として、防漏壁１６の収縮力により吸収体１４の端部を回転させる、すなわち折るとき、防漏壁１６の収縮力を同じとして、固定領域１５と折れ起点ＦＬとの距離をより大きくすることで、吸収体１４の端部を折るための力をより大きくすることができる。それにより、防漏壁１６を装着者の肌面へ向かってより起立させることができる。
【００６０】
本実施形態では好ましい態様として、長手方向Ｌにおいて、固定領域１５が非配置域（例示：背側非配置域ＢＡｃ）へ延び、固定領域１５の少なくとも一部が厚さ方向Ｔに重なる。それゆえ、防漏壁１５が収縮により固定領域１５を引っ張るとき、低坪量域（例示：背側低坪量域ＢＡｂ）よりも長手方向Ｌの外側の部分を固定領域１５と共に引っ張ることができる。それゆえ、低坪量域（の折れ起点ＦＬ）以外の箇所で吸収体１４が折れることを抑制できる。それにより、低坪量域の折れ起点ＦＬで吸収体１４をより折り易くすることができ、防漏壁１６を装着者の肌面へ向かってより起立させ易くすることができる。
【００６１】
本実施形態では好ましい態様として、長手方向Ｌにおいて、固定領域１５が非配置域（例示：背側非配置域ＢＡｃ）を超えて、吸収体１４の外側へ延びている。それゆえ、防漏壁１６が収縮により固定領域１５を引っ張るとき、低坪量域（例示：背側低坪量域ＢＡｂ）よりも長手方向Ｌの外側の部分であって、吸収体１４の外側の部分を含む領域を、固定領域１５と共に引っ張ることができる。それゆえ、低坪量域（の折れ起点ＦＬ）以外の箇所で吸収体１４が折ることを抑制できる。それにより、低坪量域の折れ起点ＦＬで吸収体１４をより折り易くすることができ、防漏壁１６を装着者の肌面へ向かってより起立させ易くすることができる。
【００６２】
別の実施形態について説明する。図７は、別の実施形態に係る図１のＩＩ−ＩＩ線に沿う断面図である。図示されるように、防漏壁１６が長手方向Ｌから見て横倒しのＶ字（内側に凸）型の形状を有する。具体的には、防漏壁１６は、サイドシート１７における長手方向Ｌの前側及び後側の固定領域１５、１５の間に位置する第１壁部１６ａ及び第２壁部１６ｂを備える。第１壁部１６ａは、吸収性本体１０の表面に幅方向Ｗの外側の端縁を固定される。第２壁部１６ｂは、幅方向Ｗの内側の端縁を、第１壁部１６ａの幅方向Ｗの内側の端縁に連結され、幅方向Ｗの外側の端縁を非固定とされる。第１壁部１６ａ及び第２壁部１６ｂのうちの少なくとも第２壁部１６ｂは、長手方向に沿って延びる弾性部材６１を含む。それら第１壁部１６ａ及び第２壁部１６ｂにより、防漏壁１６は長手方向Ｌから見て横倒しのＶ字（内側に凸）型の形状を有するということができる。この場合、防漏壁１６は厚さ方向Ｔに高くすることができる。したがって、防漏壁１６を装着者の肌面へ向かってより高く起立させ易くすることができる。その結果、防漏壁１６の高さが低くなることをより抑制できる。
【００６３】
別の実施形態について説明する。図８は、別の実施形態に係る使い捨ておむつの背側部の一部を拡大した平面図である。図示されるように、長手方向Ｌの後側（背側部３側）の固定領域１５における長手方向Ｌの中央側（内側）の端縁１５Ｅ（図１参照）は、背側低坪量域ＢＡｂと厚さ方向Ｔに重なる。同様に、図１に示されるように、長手方向Ｌの前側（腹側部２側）の固定領域１５における長手方向Ｌの中央側（内側）の端縁１５Ｅは、腹側高坪量域ＦＡａと厚さ方向Ｔに重なる。
この使い捨ておむつ１では、防漏壁１６の長手方向Ｌの収縮力により、背側の固定領域１５の中央側の端縁１５Ｅが、中央側に強く引っ張られたとき、吸収体１４の長手方向Ｌの端部が装着者の肌面へ向かって起立するように、吸収体１４を折れ起点ＦＬで折ることができる。それにより、起立した吸収体１４の長手方向Ｌの端部によって防漏壁１６が長手方向Ｌの両側へ向かって引っ張られる程度を低下させることができ、防漏壁１６を装着者の肌面へ向かって起立させることができる。
また、使い捨ておむつ１では、吸収体１４の腹側領域に、低坪量域を有さず、腹側高坪量域ＦＡａを有するので、腹側高坪量域ＦＡａと股間領域ＭＡとの間の位置に、秤量が変わる起点、すなわち、剛性の変わる起点を有さない。そのため、腹側の固定領域１５における長手方向Ｌの中央側の端縁１５Ｅ近傍で、吸収体１４の端部が折れることが無く、腹側部２のフィット性を高めて、腹側領域ＦＡからの伝え漏れを抑制できる。
【００６４】
別の実施形態として、図示しないが、使い捨ておむつ１は、テープ型おむつである。そのテープ型おむつは、吸収性本体１０の背側の部分における幅方向Ｗの両外側に位置する一対の係止部材を備える。そのテープ型おむつは、好ましくは吸収性本体１０の背側の部分の幅方向Ｗの中央に長手方向中心線ＣＬを跨ぐように、より好ましくは一対の係止部材の間に、伸縮部材を更に備える。吸収性本体１０の構成は上記のとおりである。この場合にも、上記した各効果を奏することができる。
【００６５】
本発明の使い捨ておむつやその吸収体は、上述した各実施形態に制限されることなく、本発明の目的、趣旨を逸脱しない範囲内において、各実施形態同士を組合せることや公知技術を適用すること等が可能である。
【符号の説明】
【００６６】
１    使い捨ておむつ
２    腹側部（腹側ウエストベルト）
３    背側部（背側ウエストベルト）
１０    吸収性本体
１４    吸収体
１５    固定領域
１５Ｅ    端縁
１６    防漏壁
１７    サイドシート
ＢＡ    背側領域
ＦＡ    腹側領域
ＭＡ    股間領域
【図１】
2020108742.tif 000003
【図２】
2020108742.tif 000004
【図３】
2020108742.tif 000005
【図４】
2020108742.tif 000006
【図５】
2020108742.tif 000007
【図６】
2020108742.tif 000008
【図７】
2020108742.tif 000009
【図８】
2020108742.tif 000010